(57)【特許請求の範囲】
【請求項１】
洗浄機本体に挿入され、長尺の複数の洗浄対象物を立て掛け保持する洗浄機用ラックであって、食器立て掛け部を一体に有した樹脂製の食器用の第一ラックと、この第一ラックに組み付けられる第二ラックとからなり、この第二ラックが、洗浄対象物を複数列に亘って所定の角度で立て掛け保持可能に形成された複数列の立て掛け部と、各立て掛け部の両側に配置され、各立て掛け部に立て掛けた洗浄対象物の横倒れを防止する上記立て掛け部より高さが高い横倒れ防止部とを備え、各ラックの組み付け時には第一ラックの食器立て掛け部が第二ラックの底部の格子部を貫通し、第二ラックの立て掛け部に立て掛けた長尺の洗浄対象物の下端部を、格子部を貫通した食器立て掛け部が係止することを特徴とする洗浄機用ラック。
【請求項２】
上記第二ラックが金属製の線材を折り曲げて一体形成されていることを特徴とする請求項１記載の洗浄機用ラック。
【発明の詳細な説明】
【０００１】
【発明の属する技術分野】
本発明は、トレー等の長尺の複数の洗浄対象物を立て掛け保持する洗浄機用ラックの構造に関する。
【０００２】
【従来の技術】
一般に、洗浄機本体内に洗浄ノズルとすすぎノズルとを備え、これらノズルを通じて洗浄水、すすぎ水を供給して、洗浄機本体内に挿入したトレイ等の長尺の洗浄対象物を洗浄する構成を備えた洗浄機が知られている。
【０００３】
この種のものでは、トレイ等の長尺の洗浄対象物を、樹脂製ラックに立て掛け保持して、このラック毎、洗浄機本体内に挿入している。
【０００４】
【発明が解決しようとする課題】
しかしながら、従来の樹脂製ラックは、汎用製品のため価格が安価であるものの、食器等の高さの低い洗浄対象物を複数個保持するものであり、長尺の洗浄対象物を保持する構造になっていない。
【０００５】
このため、トレイ等の長尺の洗浄対象物をラックに立て掛け保持して、このラック毎、洗浄機本体内に挿入した場合、衝撃等によって洗浄対象物が横倒れし、これによって洗浄対象物を洗浄できなくなったり、扉の開閉時に扉や開閉機構に洗浄対象物が挟まって、洗浄対象物が破損する等の問題がある。
【０００６】
そこで、本発明の目的は、上述した従来技術が有する課題を解消し、安価な汎用の樹脂製ラック等を用いて、長尺の洗浄対象物を横倒れなく保持することができる構造を有した洗浄機用ラックを提供することにある。
【０００７】
【課題を解決するための手段】
請求項１記載の発明は、洗浄機本体に挿入され、長尺の複数の洗浄対象物を立て掛け保持する洗浄機用ラックであって、食器立て掛け部を一体に有した樹脂製の食器用の第一ラックと、この第一ラックに組み付けられる第二ラックとからなり、この第二ラックが、洗浄対象物を複数列に亘って所定の角度で立て掛け保持可能に形成された複数列の立て掛け部と、各立て掛け部の両側に配置され、各立て掛け部に立て掛けた洗浄対象物の横倒れを防止する上記立て掛け部より高さが高い横倒れ防止部とを備え、各ラックの組み付け時には第一ラックの食器立て掛け部が第二ラックの底部の格子部を貫通し、第二ラックの立て掛け部に立て掛けた長尺の洗浄対象物の下端部を、格子部を貫通した食器立て掛け部が係止することを特徴とする。
【０００８】
請求項２記載の発明は、請求項１記載のものにおいて、上記第二ラックが金属製の線材を折り曲げて一体形成されていることを特徴とする。
【０００９】
【発明の実施の形態】
以下、本発明の一実施形態を図面に基づいて説明する。
【００１０】
図１において、１は洗浄機を示す。この洗浄機１は４本の支柱２を基準に枠組みされており、上部には箱形の洗浄機本体３を備え、下部には機械室５を備えて構成されている。この機械室５には支柱２に固定された側板５Ａと底板５Ｂが設けられ、この底板５Ｂ上には、後述の洗浄ノズルに洗浄水を供給する洗浄ポンプ６と、すすぎノズルにすすぎ水を供給するすすぎポンプ７とが設置されている。
８は洗浄水の保温ヒータである。
【００１１】
洗浄機本体３内には洗浄室１０が形成されており、この洗浄室１０の下部には下部洗浄ノズル１１及び下部すすぎノズル１２が配置され、洗浄室１０の上部にはこれらノズル１１，１２に対向して、上部洗浄ノズル１３及び上部すすぎノズル１４が配置されている。
【００１２】
この洗浄機１では、トレイ等の比較的長尺の洗浄対象物７１（図６参照）を洗浄対象とするため、図１において、洗浄機本体３の前面に形成された開口部１５の高さは高く設定されている。
【００１３】
従って、そこに設けられる開閉扉２０は、開口部１５の略下半部を覆い、洗浄機本体３の前方へ手動により傾動して開閉される傾動扉１７と、この傾動扉１７にリンク機構１９を介して連結され、傾動扉１７の開閉に連動して昇降し、開口部１５の略上半部を覆う昇降扉２１とで構成される。開閉扉２０を一枚の傾動扉１７だけで構成した場合、扉の解放時における前方への突出量が大きくなりすぎるし、一枚の昇降扉２１だけで構成した場合、扉の解放時における上方への突出量が大きくなりすぎるからである。
【００１４】
図２は開閉扉２０を閉じた状態を示し、図３は開閉扉２０を開けた状態を示している。図２では傾動扉１７と昇降扉２１とによって開口部１５が全閉されている。傾動扉１７の取っ手１７Ａに手を掛けて、それを手前に引くと、図３に示すように、傾動扉１７が前方に傾動し、これに連動して昇降扉２１が上方に上昇して、開口部１５が全開される。
【００１５】
図４は図２のIV−IV断面図、図５は図３のＶ−Ｖ断面図である。
【００１６】
図４及び図５に示すように、開口部１５の側縁部（支柱２）には昇降扉２１の側縁部側に突出する一対の軸３１が、上下に所定の間隔Ｗをあけて固定され、各軸３１にはフリーに回転自在に案内ローラ３３が支持されている。また、この案内ローラ３３を呑み込み可能に、昇降扉２１の側縁部に案内レール３５が固定されている。この案内レール３５は、案内ローラ３３の呑み込み側の面だけを開口した断面略コ字形の部材であり、昇降扉２１の上端部から下端部を越えて下方に延出する延出部２１Ａを備えて構成されている。この延出部２１Ａにはブラケット４１が固定され、このブラケット４１は、図３に示すように、支柱２に形成された切除部４２を貫通して洗浄室１０内に延出している。この洗浄室１０内に延出したブラケット４１には、図４及び図５に示すように、リンク機構１９を構成するリンク４３の一端４３Ａが連結され、このリンク４３の他端４３Ｂは、略くの字形のステー４５の一端４５Ａに連結され、その他端４５Ｂは、傾動扉１７の側縁部に連結されている。リンク４３と洗浄室１０内の固定部との間には、コイルスプリング４７が掛け渡されている。
【００１７】
図４に示す傾動扉１７を手前（矢印Ａ方向）に引くと、図５に示すように、傾動扉１７が前方に傾動し、これに連動し、コイルスプリング４７のばね力で引っ張られながら、ステー４５を介してリンク４３が押し上げられ、これと一体に昇降扉２１が上方に上昇し、開口部１５が全開される。
【００１８】
ところで、この洗浄機１で洗浄されるトレー等の長尺の洗浄対象物７１は、図６に示すように、洗浄機用ラック７２に立て掛け保持され、この洗浄機用ラック７２毎、図１に示す洗浄室１０内に挿入され、ラック案内レール７３上に載置される。この洗浄機用ラック７２は、図７に示すように、底部に多数の食器立て掛け部７５Ａを一体に有した樹脂製の食器用の第一ラック７５と、この第一ラック７５に組み付けられる第二ラック７７とで構成されている。
【００１９】
第一ラック７５は汎用製品であり、価格が安価である。上記第二ラック７７は、上記第一ラック７５と組み合わせて使用されるものであり、ステンレス製の線材を折り曲げて形成されている。すなわち、洗浄対象物７１を複数列に亘って所定の角度で立て掛け保持可能に形成された複数列の立て掛け部７７Ａと、各立て掛け部７７Ａの両側に配置され、各立て掛け部７７Ａに立て掛けた洗浄対象物７１の横倒れを防止する、立て掛け部７７Ａより高さが高い横倒れ防止部７７Ｂとを備えて構成される。この横倒れ防止部７７Ｂは、第二ラック７７を持ち運びする場合、把手を兼ねる。また、第二ラック７７は底部に格子部７７Ｃを備え、第一ラック７５と第二ラック７７とを組み付ける場合、格子部７７Ｃの各格子の間に、第一ラック７５から突出した食器立て掛け部７５Ａが嵌合し、第一ラック７５と第二ラック７７とが強固に連結される。
【００２０】
ちなみに、第二ラック７７を含んだ洗浄機用ラック７２を、樹脂一体成形した場合、金型費用等を含めて製造価格が増大し、それらを総金属製とした場合、重量が重くなり過ぎ、いずれも現実的でない。
【００２１】
本実施形態では、価格が安価な汎用製品の第一ラック７５を使用して、トレー等の長尺の洗浄対象物７１の保持が可能になる。
【００２２】
従って、第二ラック７７を取り外して使用すれば、第一ラック７５を使用してコップ等の食器洗浄が可能になり、ラックの兼用化が図れると共に、ラック製造価格が抑制され、重量もそれ程増大することがない。
【００２３】
本実施形態では、図６を参照し、複数列の立て掛け部７７Ａに洗浄対象物７１を所定の角度で立て掛け、図１に示す洗浄室１０内に洗浄機用ラック７２毎、洗浄対象物７１を挿入する場合、各立て掛け部７７Ａに立て掛けた洗浄対象物７１に、横倒れ方向の力が作用したとしても、横倒れ防止部７７Ｂに保持されるため、その横倒れがほぼ確実に防止される。
【００２４】
従って、洗浄機用ラック７２毎、洗浄対象物７１を洗浄室１０内に挿入する作業を簡単に行うことができる等の効果が得られる。
【００２５】
なお、複数列の立て掛け部７７Ａに洗浄対象物７１を所定の角度で立て掛けた場合、洗浄対象物７１の下端部は、第一ラック７５に形成された食器立て掛け部７５Ａに係止されることはいうまでもない。
【００２６】
以上、一実施形態に基づいて本発明を説明したが、本発明はこれに限定されるものではないことは明らかである。
【００２７】
本発明は、洗浄対象物７１が洗浄機用ラック７２の幅よりも長い場合、すなわち、洗浄対象物７１を横にしても洗浄機用ラック７２内に収まらない場合に使用されるラック構造に好適である。
【００２８】
【発明の効果】
本発明では、洗浄機用ラック毎、洗浄対象物を挿入する場合、各立て掛け部に立て掛けた洗浄対象物に横倒れ方向の力が作用しても、横倒れ防止部に保持されるため、その横倒れがほぼ確実に防止される。
【図面の簡単な説明】
【図１】本発明による洗浄機の一実施形態を示す斜視図である。
【図２】開閉扉を全閉した時の正面図である。
【図３】開閉扉を全開した時の正面図である。
【図４】図２のIV−IV断面図である。
【図５】図３のＶ−Ｖ断面図である。
【図６】洗浄機用ラックを示す斜視図である。
【図７】洗浄機用ラックを示す分解斜視図である。
【符号の説明】
１  洗浄機
３  洗浄機本体
１５  開口部
１７  傾動扉
１９  リンク機構
２０  開閉扉
２１  昇降扉
７１  洗浄対象物
７２  洗浄機用ラック
７５  第一ラック
７５Ａ  食器立て掛け部
７７  第二ラック
７７Ａ  立て掛け部
７７Ｂ  横倒れ防止部
７７Ｃ  格子部
【図１】
0004592199.tif 000002
【図２】
0004592199.tif 000003
【図３】
0004592199.tif 000004
【図４】
0004592199.tif 000005
【図５】
0004592199.tif 000006
【図６】
0004592199.tif 000007
【図７】
0004592199.tif 000008